(57)【要約】      （修正有）【課題】おりんの内側に置くことによりおりんを見ると視野に入り、おりんの装飾性を高めることができるおりん用装飾置物及びおりん用装飾置物とおりんのセットを提供する。【解決手段】おりん用装飾置物１０は蓮花状装飾体１２とそれを保持する台座部１４とから構成されている。蓮花状装飾体１２は蓮の花をモチーフとして蓮の花をかたどっている。この蓮花状装飾体１２の花弁１８は純銀片を花弁状にして形成されている。前記台座部１４は立体的に形成されると共に蓮の花の葉をイメージして緑色の布２２で形成されている。前記おりん用装飾置物１０を置くおりん３０は金属を鉢状にして形成されている。おりん３０の側面部３２の内側面３２Ａと底面部３４の内側面はみがかれて鏡面とされている。【選択図】図３
0003136834.tif 000002
【実用新案登録請求の範囲】
【請求項１】
おりんの内側に置かれて使用されるおりん用装飾置物であって、おりんの内側に配設される装飾体と、を有してなることを特徴とするおりん用装飾置物。
【請求項２】
おりんの内側に置かれて使用されるおりん用装飾置物であって、おりんの内側底面に載置される台座部と、この台座部の上面に取り付けられると共に蓮の花をかたどって形成された蓮花状装飾体と、を有してなることを特徴とするおりん用装飾置物。
【請求項３】
請求項１ないし２のいずれかに記載したおりん用装飾置物と、前記おりん用装飾置物が内側に置かれると共に内周面が鏡面とされたおりんと、を有することを特徴とするおりん用装飾置物とおりんのセット。
【考案の詳細な説明】
【技術分野】
【０００１】
本考案は、仏具の一つであるおりんの内側に置くことにより、おりんを華やかにしておりんの装飾性を高めることができるおりん用装飾置物及びおりん用装飾置物とおりんのセットに関する。
【背景技術】
【０００２】
仏具の一つとして金属等の適宜材料を鉢状に形成して成るおりんが広く知られている。このおりんは、仏壇の前や仏壇の中に置かれて専用の棒でおりんの上端部を叩くことにより音を鳴らす仏具である。
ところで、前記おりんの外側面及び内側面は一般的には無地で、模様が施されるとしても外側面に鎚目模様を施したり、あるいはその家の家紋を彫刻するぐらいの装飾しか施されていない。
このため、前記おりんを見ても全体的に金属的で無機質な印象を受けるだけであり、おりんを見て美しいと感じることはほとんどない。
【考案の開示】
【考案が解決しようとする課題】
【０００３】
本考案は、上記事実に鑑みなされたものであり、おりんの内側に置くことによりおりんを見ると一緒に視野に入り、前記おりんを華やかにしておりんの装飾性を高めることができるおりん用装飾置物及びおりん用装飾置物とおりんのセットを提供するものである。
【課題を解決するための手段】
【０００４】
請求項１の考案は、おりんの内側に置かれて使用されるおりん用装飾置物であって、おりんの内側に配設される装飾体と、を有してなることを特徴としている。
請求項２の考案は、おりんの内側に置かれて使用されるおりん用装飾置物であって、おりんの内側底面に載置される台座部と、この台座部の上面に取り付けられると共に蓮の花をかたどって形成された蓮花状装飾体と、を有してなることを特徴としている。
請求項３の考案は、請求項１ないし２のいずれかに記載したおりん用装飾置物と、前記おりん用装飾置物が内側に置かれると共に内周面が鏡面とされたおりんと、を有してなることを特徴としている。
【考案の効果】
【０００５】
本考案のおりん用装飾置物は、おりんの内側に置かれることにより、おりんを見た者の視野に入りおりんに華やかさを与えておりんの装飾性を高めることができるという優れた効果を有する。
本考案のおりん用装飾置物とおりんのセットは、おりんの中におりん用装飾置物を置くことにより、前記おりんの内周面に前記おりん用装飾置物の形状や色彩が映り、おりんの装飾性を一段と高めることができるという優れた効果を有する。
【考案を実施するための最良の形態】
【０００６】
考案を実施するために最良の形態の例として以下のような実施例を示す。
【実施例１】
【０００７】
図１〜図４には本考案のおりん用装飾置物及びおりん用装飾置物とおりんのセットの一実施例が示されている。
図１及び図２に示されるように、本考案に係るおりん用装飾置物１０は装飾体としての蓮花状装飾体１２と蓮花状装飾体１２を保持する台座部１４とから構成されている。
この蓮花状装飾体１２は蓮の花をモチーフとして蓮の花をかたどって形成されている。装飾体を蓮花状装飾体１２にしたのは蓮の花は極楽浄土を連想させ、仏様が座している花として昔からよく知られているためである。
この蓮花状装飾体１２の花弁１８は純銀片を蓮の花の花弁状にして形成されている。この花弁１８は２４枚設けられている。また、これら花弁１８は本物の蓮の花弁のように純銀片に薄いピンク色の塗料で濃淡のグラデーションをつけて着色され、色彩的にも本物の蓮の花の花弁のように形成されている。
前記２４枚の花弁１８の中央にはおしべ２０とめしべ２１が形成され、これらおしべ２０とめしべ２１には純金メッキが施されている。
前記台座部１４は丸型の座布団をかたどって立体的に形成されている。なお、この台座部１４は蓮の花の葉をイメージして緑色の布２２で形成されている。また、台座部１４を布２２で形成することにより、前記おりん用装飾置物１０をおりん３０の内側に置いてもおりん３０に傷が付き難くなっている。
図３及び図４に示されるように、前記おりん用装飾置物１０を置くおりん３０は金属を鉢状にして構成されている。このおりん３０の表面には金メッキが施されている。なお、このおりん３０はおりん用座布団３１に載置されている。
また、前記おりん３０の側面部３２の内側面３２Ａと底面部３４の内側面３４Ａはみがかれて鏡面とされている。
図４に示されるように、前記おりん用装飾置物１０をおりん３０の内側に置く場合はおりん用装飾置物１０の台座部１４をおりん３０の底面部３４に載置する。
従って、おりん用装飾置物１０は前記おりん３０の底面部３４の内側面３４Ａだけに接触するが、この底面部３４は専用の棒（図示せず）でおりん３０を叩いた場合に共鳴しない部分であるので、専用の棒でおりん３０を叩いた場合は音が鳴り、おりん用装飾置物１０をおりん３０の内側に置いても影響がないようになっている。
【０００８】
実施例のおりん用装飾置物及びおりん用装飾置物とおりんのセットの作用を説明する。
実施例のおりん用装飾置物１０を使用する場合は、図３及び図４に示されるようにおりん用装飾置物１０をおりん３０の内側に配設して前記おりん用装飾置物１０の台座部１４をおりん３０の底面部３４に載置する。これにより、おりん用装飾置物１０はおりん３０の内側に位置する。
従って、おりん用装飾置物１０が内側に置かれた前記おりん３０を見ると図３に示されるように蓮の花をかたどった美しいおりん用装飾置物１０も一緒に視野に入るので金属的で無機質な印象を受けるおりん３０だけを見る場合と異なり、おりん３０が華やかになり美観を生じさせることができる。
また、前記おりん３０の側面部３２の内側面３２Ａと底面部３４の内側面３４Ａは鏡面とされているので、おりん３０の側面部３２の内側面３２Ａと底面部３４の内側面３４Ａには前記おりん用装飾置物１０の蓮花状装飾体１２の花弁１８の形や花弁１８の銀色や薄いピンク色、台座部１４の緑色が反射して映り、恰も池に薄紅色の蓮の花が浮いているように見え、前記おりん用装飾置物１０自体の美しさと相俟って美しさを倍増させることができる。
なお、前記おりん用装飾置物１０をおりん３０の内側に置いても、台座部１４がおりん３０の底面部３４の内側面３４Ａだけに接触するので、おりんを３０を専用の棒で叩くとおりん用装飾置物１０を置かない場合と同じように音を鳴らすことができる。
【０００９】
なお、本考案のおりん用装飾置物１０は、実施例で示したように主におりん３０の内側において使用するものであるが、たとえばおりん用装飾置物１０を仏壇の中に置いて使用してもよい。蓮の花をかたどった美しいおりん用装飾置物１０を仏壇の中に置くことにより仏壇の中を華やかにすることができる。
また、近年の住宅事情を反映してコンパクトな大きさの仏壇を持つ家庭が増えているが、このようなコンパクトな大きさの仏壇では従来の常花は大きすぎてしまうが（従来の常花は背の高い幅の広いタイプがほとんどであるため）、本考案のおりん用装飾置物１０はこのようなコンパクトな大きさの仏壇に対して大きさ的にもマッチするので常花の代用として使用してもよい。
さらに、実施例のおりん用装飾置物１０は蓮の花をモチーフにした美しい置物であるため、見る者の心を癒してくれるので置物としてリビングや和室の飾り棚等に置いて使用してもよい。
【００１０】
なお、実際例ではおりん用装飾置物１０の装飾体を蓮の花をモチーフにした蓮花状装飾体１２としたが、前記装飾体は蓮の花に限定されるものでなく、菊の花や薔薇の花等の花をモチーフにしたり、あるいは花以外の仏像等をモチーフにして形成してもよいことは勿論である。
【図面の簡単な説明】
【００１１】
【図１】実施例のおりん用装飾置物の全体斜視図である。
【図２】実施例のおりん用装飾置物の正面図である。
【図３】実施例のおりん用装飾置物をおりんの内側に置いた状態の全体斜視図である。
【図４】実施例のおりん用装飾置物をおりんの内側に置いた状態の一部縦断面図である。
【符号の説明】
【００１２】
１０    おりん用装飾置物
１２    蓮花状装飾体
１４    台座部
３０    おりん
【図１】
0003136834.tif 000003
【図２】
0003136834.tif 000004
【図３】
0003136834.tif 000005
【図４】
0003136834.tif 000006